(57)【要約】      （修正有）【課題】任意の厚みを簡単に抜く第１の型抜きと、半立体形態で型抜きの高さの範囲の平面状の粘土を抜く第２の半立体型抜きと、２種類の合併は相反するものであるが臨機応変で抜く合作型抜きは多彩な作品を貢献できる、例えば、子供達の粘土知育に利用できることと、大人の趣味講座用に、お年寄りの方達のディサービスや老人ホームでの作品作りに簡単に利用でき従来になかった新規な型抜きを提供する。【解決手段】型抜きは、保育園児、幼稚園児は文化祭や普段作品作りに手や指を使い個性溢れる発想で作品もでき机上飾りに止まらず順番に画用紙や色紙を吊して教室に飾ることも可能、型抜きは連続抜きや単抜きもできることと使い終わった後は水洗いで自然乾燥し常に清潔に使える、型抜きは他の単独の物と違いバラバラにならず紛失しにくい点もある、ご覧のとおり型抜きは持ち手を持って希望の部分だけを簡単に抜ける型抜き。【選択図】図１
0003139995.tif 000002
【実用新案登録請求の範囲】
【請求項１】
本考案の型抜きは題材にした花等の各パーツ全てに個性を持たせ独立させて作り全部接合した１個の型抜きで型抜き内領域の粘土を平面状の上から押して抜く型抜き、１個の型抜きで抜いた粘土で１作品が可能、型抜きを使い連続抜きも単抜きもでき自由なオリジナル作品も可能、型抜きの持ち手は型抜きを押す際にもっとも力が働く位置に取り付けることを特徴とする型抜きである。
【請求項２】
本考案の半立体形態の型抜きは題材にしたつくし等の各パーツ全てに個性を持たせ独立させて全部接合した１個の型抜きで型抜き内領域の粘土の高さ迄平面状の上から押して抜く型抜きで１個の型抜きで１作品が可能、型抜きを使い各パーツを適宜に粘土を抜いて短いつくし、茎を長くする為に茎や額を多く作り作品に、１本のつくしも型抜きから様々な表情を作り出してオリジナル作品も可能、半立体型抜きを手で押す際にもっとも力が働く位置に持ち手を取りつれることを特徴とする半立体型抜きである。
【請求項３】
本考案の（請求項１）（請求項２）に記載した型抜きを合併した合作型抜きである、例に苺を記したい、苺はふっくらとして実と薄い苺の葉を作るが相反する物を作る型抜きで苺の実を半立体型抜き（請求項２）で作り、苺の薄い葉を（請求項１）の型抜きで作ると巧く型抜きの調和が取れて良い作品を作れる、苺で記した合作型抜きは苺の各パーツを独立させて作り全部接合した１個の型抜き、１個の型抜きで１作品が作れるが苺の実や苺の葉を連続抜き、単抜きにして作るオリジナル作品も可能、合作型抜きを手で押す際にもっとも力が働く位置に持ち手を取り付けることを特徴とした合作型抜きである。
【考案の詳細な説明】
【技術分野】
【０００１】  本考案は型抜きに関する。
【背景技術】
【０００２】  従来から沢山の型抜きが販売されている、まず、子供達の粘土と共に型抜きがセットで商品になっている。粘土の型抜きを様々な形に作り型抜きだけを商品化した物や、野菜の型抜き、お菓子やクッキーやケーキの型抜きも多い。【０００３】  従来から特許出願も多く次のような文献がある公開特許公報  ２００６−２６３４２６。平８−２４３０３５。２００５−０７４５８５。
【考案の開示】
【考案が解決しようとする課題】
【０００４】  本考案の型抜きは、粘土の型抜きに、お菓子やクッキーの型抜きに適する。では、本考案の型抜きを、連華を例にして説明したい。連華の花びらを（大、中、小）に、連の葉を（大、小）に、連の蕾と連の実等を各パーツ、パーツごとに独立させて作る、その各パーツを全部接合させて１個の型抜にした。さらに、型抜きの上に弓なり形状の持ち手を型抜きの両側に取り付ける、取り付位置は型抜きを使用する際にもっとも押す力が働く位置に取り付けることを特徴とし、各パーツごとの型抜きは個性を持つ型抜きである。（図面１）【０００５】  次に記載の型抜きは、上記型抜きの上又は、下の片方側に半立体の型抜きを作る。では、つくしを例にして説明したい。つくしを１本頭から縦割りに２等分された形態で、そのつくしの内側を頭から茎迄全部を空にして節目の頭、茎、額を各パーツ、パーツに区切り１個の半立体の型抜きにした。さらに、型抜きの上に弓なり形状の持ち手を型抜きの両側に取り付けることを特徴とし、各パーツは全部個性を持った型抜きである。（図面４）【０００６】  次に記載の型抜きは、図面１と図面４の型抜きを合体させた型抜きで各パーツ毎に区切られた型抜きである。では、苺を例にして説明したい。美味しい苺の実はふっくらとしているが苺の葉は薄いものである、この２種類の相反するものを作るには、図面１に記載した型抜きで厚い物も薄い物も抜くことが可能な型抜きを中心に持ってくる、大きい苺の葉を抜くに適する。粘土が抜きにくい半立体の型抜きを外側の方に持ってくると仕事が楽にできる、半立体は粘土が厚くても薄すぎも抜きにくいためであるが外側は抜きやすい。
苺の実を（大、小）に、苺の葉を（大、小）に、苺の額も作ると便利である。苺を各パーツ、パーツに区切り独立させて１個の型抜きにした。さらに、型抜きの上に弓なり形状の持ち手を型抜きの両側に取り付けることを特徴とし、各パーツは全部個性を持った型抜きである。（図面７）
【課題を解決するための手段】
【０００７】  上記した本考案の型抜きは、粘土工作に、粘土手芸に従来にない楽しい作品を作ることが可能である。本考案の型抜きは図面１と図面４と図面７はそれぞれが特徴のある異なった型抜きであり、それぞれの型抜きはパーツ、パーツで区切られ全部は同じ形はなく異なった個性を持った物である、そのパーツ、パーツの全部接合して１個の型抜きにした。
上記の型抜きで粘土を抜くと、全部がバラバラになるが作品作りには良いのである。連華の例で、連の花びらも１個を作るのに大きい物と中の物と小さい物があり、どの独立した形の物で粘土を抜いても良く、花びらと額の大きさを変化させて連華のバランスを調整できる、さらに粘土の色彩を変えるにも簡単に別の色彩を作って抜れるので作品にも様々な様子を作りだせる作品はワンランク上の腕前の作品を簡単に作ることが可能である。【０００８】  従来の型抜きは、１個の単独の型抜きをそれぞれ大きい型、中の型、小さい型に作っており、様々な形はあるが（大、中、小）のサイズはコピーの形態である。本考案の型抜きは１個の型抜き内は各パーツは全部個性を持ち各独立接合した新規な型抜きである。型抜きは紛失しにくい、子供達が夢中になって型抜きを使った後も水洗い後は自然乾燥するだけで何時も清潔に使える。【０００９】  それでは、図面１に記載した型抜きは、粘土の平面状の上からも、粘土のでこぼこした上からも簡単に持ち手を持ち押すだれで抜くことが可能である。連華の場合は薄くした粘土を抜くと綺麗にできる、薄く、厚く抜くのは適宜に考えて制作する。この型抜きでは可愛い野草や四季の花々、春の桜やチューリップや椿や水芭蕉、夏の連華や向日葵やハイビスカス、秋のコスモスやインパチィンス、冬のシクラメンや山茶花等などと数えられないほど素敵な花々は多い、また、風景もそれぞれのパーツが全部独立接合の本考案の型抜きでは日本の素敵な風景も諸外国の風景も本考案の型抜きで作ることが可能である。【００１０】  次に、図面４に記載した型抜きは、粘土の平面状にした上から抜くが粘土があまり厚くとも薄くとも抜きにくいことから適宜の粘土の厚さを考慮するとよい。
この、型抜きは半立体の形態で型抜きの内部は空になっている、つくしの場合は、つくしの各パーツ、パーツで区切られている型抜きで粘土を抜くとパーツごとにバラバラになるがこの形態になった方が良い作品を作ることができる下記で説明する。では、どのような物が本考案の型抜きに向くのか説明する。図面４の型抜きは、へちまや瓢箪や野菜のミニトマトや南瓜や胡瓜や枝豆や人参等などと数えきれない様々の物が作れる。野菜シリーズや果物シリーズや魚介類シリーズ等や、子供達用には自動車や電車やお菓子のシリーズ等などと数えきれない物を作れる。【００１１】  では、子供用に、型抜きの半立体の内側に溝等や模様を付けるととても楽しい良い型抜きになる、自動車を様々な形にして自動車シリーズも楽しい。また、自動車を自動車本体とドアーとライトとタイヤ等に独立して作り、その各パーツを全部接合した１個の型抜きにするともっと楽しい型抜きになる、保育園児も幼稚園児も子供達は粘土を抜いて、自動車に組み立て形式に作ると粘土知育になり考える力や想像する力、手や指を使うことで脳を活性させる。粘土は１色でも良い、粘土に色を練りこんで色彩を作っても良い。
粘土でキャラクターを作り組み合わせるキャラクターを完成させる型抜きも楽しい。【００１２】  次に、図面７に記載した型抜きは、図面１と図面４の型抜きを合併の型抜きである。２種類の合作の作品を１個の型抜きで完成する。この型抜きの場合には、真ん中の方には図面１に記載の型抜きが良い、粘土が厚くも薄くも簡単に粘土を抜くことができるから葉等よく外側には半立体の型抜きを持ってくると比較的に厚い粘土も薄い粘土も臨機応変に型抜きの持ち手を押すと型抜きの外側の部分なので簡単に型抜きできる。
この型抜きは、大人に良いと考える、上記の苺で説明すると美味しい可愛いい苺はふっくらしているので半立体の型抜きの図面４を使う、苺の実を（大、小）に、苺の葉を（大、小）に、苺の蕾は苺の小さい実と兼用でよい、苺の額を作ると生き生きとした苺を作ることができる、従来の型抜きの作品を越える新規な型抜きである。
【考案の効果】
【００１３】  では、本考案の効果を説明したい。本考案の型抜きは、１個の型で作品を完成させることが可能である。また、型抜きを幾つも必要としない、型抜きの紛失を免れる、各パーツが個性を持って独立していることで１個のパーツを使い回しできる。上記に記載の連華を例にすると、連華も作れるし、睡蓮も作れる、花びらの組み方を少しだけアレンジする、連の葉に睡蓮らしく切り込みを入れる等することで奥深い楽しい作品を簡単に作ることが可能なのである。【００１４】  では、本考案の型抜きは大人では、第１の考案、第２の考案、第３の考案の型抜きは全て様々な用途別に使え良い作品を作れる。記載した型抜きを元に多彩な型抜きが作れる。粘土の平面状の上から型抜きを押すと型抜きの内領域を簡単に抜ける、もち手の図面１−８、図面４−１８、図面７−２８の各持ち手を持ち押すだけで連続に、単抜きも必要枚数の花びら等を楽しみながら抜いて作品作りが可能。次に、連華を例にして図面１を説明する。
図面１の連華の花びらを適宜の枚数を平面状の粘土から抜き花びらを組み立てると美しい連華が作れる。連の葉も作品に必要な枚数やサイズを抜いて作品に入れたり連の実も必要ならば型抜きして抜き作品に入れると様々なオリジナル作品が作れる。
商品名（栞、短冊、はがき、色紙［大、中、小］や［コルク材や椰子材等の手芸用材料や厚め画用紙］）等の素材や商品名（木工ボンド）等やその他の接着材を利用して仕上げると簡単に美しく楽しい作品を作ることができる。（図面１）【００１５】  では、本考案の図面４のつくし例にして説明したい。つくしを頭から２等分すると割れたつくしは半立体形態になりつくしの頭、茎、額の各パーツはそれぞれが独立して作られることから粘土で抜くと皆なバラバラになる。つくしに限らず本考案の型抜きは全ての型抜きがバラバラに各パーツごとに区切られて独立していることから同様である。
半立体のつくしの頭部分を図面４−１４は半立体、４−１５の内側はつくしの特有の模様を入れると良い、模様は凸又は、凹のやり方で良い、茎や額は模様はいらない。
原型に模様が全体にある物には型抜きに半立体の全部必要なら入れる。（図面４）【００１６】  では、本考案の図面７は２種類が合併した合作型抜きを苺を例にして説明したい。苺はふっくらした実の部分と葉のように薄い部分を持つ、相反する形態の苺を作るには図面１に記載した型抜きと図面４に記載した型抜きを必要とする、苺に限らずこのような形態の物は非常に多い。では、苺の実はふっくらであるから半立体型抜きを使う、苺の葉は薄いことから図面１の型抜きを使う。中心部に図面１の型抜きを持ってくると厚みの粘土も薄い粘土も難なく抜くことが可能、外側には半立体型抜き図面４を持ってくると粘土は抜きやすい、苺では苺の実の部分を外側に持ってくると良い。【００１７】  本考案の型抜きの全部であるが、型抜きの幅を少し広く太く作ると型抜きに手や指が当たっても危険でなく子供達は安全に使えるし型抜きの幅が少し太いということは型抜きをする刀部分が少し太いので子供達は安全に使える。また、大人の人用には型抜きの従来の作り方でも構わない図面１で記載した図面１−１１で記載のように上部分を折り曲げる方法の作り方あり。半立体型抜きの刀部分も少し厚めに作ってあると子供達には安全である。又、本考案では上部分を図面１−１２で例として丸く記載の方法でも一向に構わない。【００１８】  本考案の型抜きの素材は、ステンレスや合成樹脂や適宜の良い素材で製品化したい。透けて見える素材も子供達には向いていると考える。【００１９】  型抜きは、上記したように栞や短冊やはがき等の素材に粘土の作品を貼る場合には、押し花を貼った後に貼る粘着力のある手芸用の物を上から貼ると良い。
栞から色紙や厚めの画用紙やコルク材等の手芸用素材の大きさも考慮したサイズの型抜きを作る、小さいサイズ、少し大きめサイズ、ちょっと大きめサイズの型抜きが便利だ。
【産業上の利用可能性】
【００２０】  本考案の型抜きは、子供達も保育園児も幼稚園児も楽しく粘土知育できる。次に、大人の人は趣味に、生涯学習の教材に、通信教育の教材に初歩から上級迄設け講師育成に使える。お年寄りの方々にはディサービスや老人ホームの作品作りの教材に簡単に使える。
又、産業界では型抜きの生産、様々な粘土、絵の具、粘土の加工道具、上記したように手芸用材料、文房具、接着材等などの色々な物の需要も見込まれると考える。
【図面の簡単な説明】
【００２１】
【図１】  連華の型抜き斜視図
【図２】  連華の平面図
【図３】  連華の葉の型抜き断面図
【図４】  つくしの半立体型抜き斜視図
【図５】  つくしの半立体型抜き平面図
【図６】  つくしの半立体型抜き断面図
【図７】  苺の合作型抜き斜視図
【図８】  苺の合作型抜き断面図
【符号の説明】
【００２２】１、        連華の型抜き
２、３      連華の葉
４、５、６、連華の花びら
７、        連華の実
８、        型抜きの持ち手
９、        型抜き上
１０、      連華の葉の刀
１１、１２、連華の上の加工
１３、      つくしの半立体型抜き
１４、      つくしの頭の半立体
１５、      つくしの頭の内側の模様
１６、１７  茎と額
１８、      つくしの半立体型抜きの持ち手
１９、２０、つくしの頭高さ、つくしの茎高さ
２１、      つくしの刀
２２、      苺の合作型抜き
２３、２４、苺の葉
２５、２６、苺の実
２７、      苺の額
２８、      苺の持ち手
２９、      苺の半立体の実
３０、      苺の内側の模様
３１、      苺の刀
３２、      苺の高さ、
【図１】
0003139995.tif 000003
【図２】
0003139995.tif 000004
【図３】
0003139995.tif 000005
【図４】
0003139995.tif 000006
【図５】
0003139995.tif 000007
【図６】
0003139995.tif 000008
【図７】
0003139995.tif 000009
【図８】
0003139995.tif 000010
【手続補正書】
【提出日】平成19年11月20日(2007.11.20)
【手続補正１】
【補正対象書類名】明細書
【補正対象項目名】全文
【補正方法】変更
【補正の内容】
【考案の詳細な説明】
【技術分野】
【０００１】  本考案は型抜きに関する。
【背景技術】
【０００２】  従来から沢山の型抜きが販売されている、まず、子供達の粘土と共に型抜きがセットで商品になっている。粘土の型抜きを様々な形に作り型抜きだけを商品化した物や、野菜の型抜き、お菓子やクッキーの型抜きも多い。【０００３】  従来から特許出願も多く次のような文献がある公開特許公報  ２００６−２６３４２６。平８−２４３０３５。  ２００５−０７４５８５。  ２００５−５３１６８。
【考案の開示】
【考案が解決しょうとする課題】
【０００４】  本考案の型抜きは、粘土の型抜きに、お菓子やクッキーの型抜きに適する。では、本考案の型抜きを連華を例にして説明したい。連華の花びらを（大、中、小）に、連の葉を（大、小）に、連の蕾と連の実等を各パーツ、パーツごとに独立させて作る、その各パーツを全部接合させて１個の型抜きにした。さらに、型抜きの上に弓なり形状の持ち手を型抜きの両側に取り付ける、取り付ける位置は型抜きを利用する際にもっとも押す力が働く位置に取り付けることを特徴とし、各パーツごとの型抜きは個性を持つ型抜きである。（図面１）
【０００５】  次に記載の型抜きは、上記した図面１の型抜きが元になる半立体の型抜きを作る。ここでつくしを例にして説明したい。つくしを１本頭から縦割りに２等分された形態で、そのつくしの内側を頭から茎迄全部を空にして節目の頭、茎、額を各パーツ、パーツに区切り１個の半立体の型抜きにした。さらに、型抜きの上に弓なり形状の持ち手を型抜きの両側に取り付けることを特徴とし、各パーツは全部個性を持つ型抜きである。（図面４）
【０００６】  次に記載の型抜きは、図面１と図面４の型抜きを合体させた型抜きで各パーツ毎に区切られた型抜きである。では、苺を例にして説明したい。美味しい苺の実はふっくらとしているが苺の葉は薄いものである、この２種類の相反するものを作るには、図面１に記載した型抜きで厚い物も薄い物も抜くことが可能な型抜きを中心に持ってくる、大きい苺の葉を抜くに適する。粘土が抜きにくい半立体の型抜きを外側の方に持ってくると仕事が楽にできる、半立体は粘土が厚くても薄すぎも抜きにくいためであるが外側は抜きやすい。
苺の実を（大、小）に、苺の葉を（大、小）に、苺の額も作ると便利である。苺を各パーツ、パーツに区切り独立させて１個の型抜きにした。さらに、型抜きの上に弓なり形状の持ち手を型抜きの両側に取り付けることを特徴とし、各パーツは全部個性を持った型抜きである。（図面７）
【課題を解決するための手段】
【０００７】  上記した本考案の型抜きは、粘土工作に、粘土手芸に従来にない楽しい作品を作ることが可能である。本考案の型抜きは図面１と図面４と図面７はそれぞれが特徴のある異なった型抜きであり、それぞれの型抜きはパーツ、パーツで区切られ全部は同じ形はなく異なった個性を持った物である、そのパーツ、パーツの全部接合して１個の型抜きにした。
上記の型抜きで粘土を抜くと、全部がバラバラになるが作品作りには良いのである。連華の例で、連の花びらも１個を作るのに大きい物と中の物と小さい物があり、どの独立した形の物で粘土を抜いても良く、花びらと額の大きさを変化させて連華のバランスを調整できる、さらに粘土の色彩を変えるにも簡単に別の色彩を作って抜けるので作品にも様々な様子を作りだせる作品はワンランク上の腕前の作品を簡単に作ることが可能である。
【０００８】  従来の型抜きは、１個の単独の型抜きをそれぞれ大きい型、中の型、小さい型に作っており、様々な形はあるが（大、中、小）のサイズはコピーの形態である。本考案の型抜きは１個の型抜き内は各パーツは全部個性を持ち各独立接合した新規な型抜きである。型抜きは紛失しにくい、子供達が夢中になって型抜きを使った後も水洗い後は自然乾燥するだけで何時も清潔に使える。
【０００９】  それでは、図面１に記載した型抜きは、粘土の平面状の上からも、粘土のでこぼこした上からも簡単に持ち手を持ち押すだけで抜くことが可能である。連華の場合は薄くした粘土を抜くと綺麗にできる、薄く、厚く抜くのは適宜に考えて制作する。この型抜きでは可愛い野草や四季の花々、春の桜やチューリップや椿や水芭蕉、夏の連華や向日葵やハイビスカス、秋のコスモスやインパチィンス、冬のシクラメンや山茶花等などと数えきれないほど素敵な花々は多い、また、風景もそれぞれのパーツが全部独立接合の本考案の型抜きでは日本の素敵な風景も諸外国の風景も本考案の型抜きで作ることが可能である。
【００１０】  次に、図面４に記載した型抜きは、粘土の平面状にした上から抜くが粘土があまり厚くとも薄くとも抜きにくいことから適宜の粘土の厚さを考慮するとよい。
この、型抜きは半立体の形態で型抜きの内部は空になっている、つくしの場合は、つくしの各パーツ、パーツで区切られている型抜きで粘土を抜くとパーツごとにバラバラになるがこの形態になった方が良い作品を作ることができる下記で説明する。では、どのような物が本考案の型抜きに向くのか説明する。図面４の型抜きは、へちまや瓢箪や野菜のミニトマトや南瓜や胡瓜や枝豆や人参等などと数えきれない様々の物が作れる。野菜シリーズや果物シリーズや魚介類シリーズ等や、子供達用には自動車や重車やお菓子のシリーズ等などと数えきれない物を作れる。
【００１１】  では、子供用に、型抜きの半立体の内側に溝等や模様を付けるととても楽しい良い型抜きになる、自動車を様々な形にして自動車シリーズも楽しい。また、自動車を自動車本体とドアーとライトとタイヤ等に独立して作り、その各パーツを全部接合した１個の型抜きにするともっと楽しい型抜きになる、保育園児も幼稚園児も子供達は粘土を抜いて、自動車に組み立て形式に作ると粘土知育になり考える力や想像する力、手や指を使うことで脳を活性させる。粘土は１色でも良い、粘土に色を練りこんで色彩を作っても良い。
粘土でキャラクターを作り組み合わせるキャラクターを完成させる型抜きも楽しい。
【００１２】  次に、図面７に記載した型抜きは、図面１と図面４の型抜きを合併の型抜きである。２種類の合作の作品を１個の型抜きで完成する。この型抜きの場合には、真ん中の方には図面１に記載の型抜きが良い、粘土が厚くも薄くも簡単に粘土を抜くことができるから葉等よく外側には半立体の型抜きを持ってくると比較的に厚い粘土も薄い粘土も臨機応変に型抜きの持ち手を押すと型抜きの外側の部分なので簡単に型抜きできる。
この型抜きは大人に良いと考える、上記の苺で説明すると美味しい可愛いい苺はふっくらしているので半立体の型抜きの図面４を使う、苺の実を（大、小）に、苺の葉を（大、小）に、苺の花等苺の小さい実と兼用で可能、苺の額を作ると生き生きとした苺を作ることができる、従来の型抜きの作品を越える新規な型抜きである。
【考案の効果】
【００１３】  では、本考案の効果を説明したい。本考案の型抜きは、１個の型で作品を完成させることが可能である。また、型抜きを幾つも必要としない、型抜きの紛失を免れる、各パーツが個性を持って独立していることで１個のパーツを使い回しできる。上記に記載の連華を例にすると、連華も作れるし、睡蓮も作れる、花びらの組み方を少しだけアレンジする、連の葉に睡蓮らしく切り込みを入れる等することで奥深い楽しい作品を簡単に作ることが可能なのである。
【００１４】  では、本考案の型抜きは大人では、第１の考案、第２の考案、第３の考案の型抜きは全て様々な用途別に使え良い作品を作れる。記載した型抜きを元に多彩な型抜きが作れる。粘土の平面状の上から型抜きを押すと型抜きの内領域を簡単に抜ける、持ち手の図面１−８、図面５−１８、図面７−２８の各持ち手を持ち押すだけで連続に、単抜きも必要枚数の花びらを楽しみながら抜いて作品作りが可能。次に、連華を例にして図面１を説明する。
図面１の連華の花びらを適宜の枚数を平面状の粘土から抜き花びらを組み立てると美しい連華が作れる。連の葉も作品に必要な枚数やサイズを抜いて作品に入れたり連の実を必要ならば型抜きして抜き作品に入れると様々なオリジナル作品が作れる。
商品名（栞、短冊、はがき、色紙〔大、中、小〕や〔コルク材や椰子材等の手芸用材料や厚め画用紙〕）等の素材や商品名（木工ボンド）等やその他の接着剤を利用して仕上げると簡単に美しい楽しい作品を作ることができる。（図面１）と（図面４）と（図面７）
【００１５】  では、本考案の図面４のつくしを例にして説明したい。つくしを頭から２等分すると割れたつくしは半立体形態になりつくしの頭、茎、額の各パーツはそれぞれが独立して作られることから粘土で抜くと皆なバラバラになる。つくしに限らず本考案の型抜きは全ての型抜きがバラバラに各パーツごとに区切られて独立していることから同様である。
半立体のつくしの頭部分を図面４−１４は半立体、４−１５の内側はつくしの特有の模様を入れると良い、模様は凸又は、凹のやり方で良い、茎や額は模様はいらない。
原型に模様が全体にある物には型抜きの半立体に全部必要ならば入れる。（図面４）
【００１６】  では、本考案の図面７は２種類が合併した合作型抜きを苺を例にして説明したい。苺はふっくらした実の部分と葉のように薄い部分を持つ、相反する形態の苺を作るには図面１に記載した型抜きと図面４に記載した型抜きを必要とする、苺に限らずこのような形態の物は非常に多い。では、苺の実はふっくらであるから半立体型抜きを使う、苺の葉は薄いことから図面１の型抜きを使う。中心部に図面１の型抜きを持ってくると厚みの粘土も薄い粘土も難なく抜くことが可能、外側には半立体型抜き図面４を持ってくると粘土は抜きやすい、苺では苺の実の部分を外側に持ってくると良い。
【００１７】  本考案の型抜きの全部であるが、型抜きの幅を少し広く太く作ると型抜きに手や指が当たっても危険でなく子供達は安全に使えるし型抜きの幅が少し太いということは型抜きをする刃部分が少し太いので子供達は安全に使える。また、大人の人用には型抜きの従来の作り方でも構わない図面３で記載した図面３−１１で記載のように上部分を折り曲げる方法の作り方あり。半立体型抜きの刃部分も少し厚めに作ってあると子供達には安全である。又、本考案では上部分を図面３−１２で例として丸い記載の方法でも一行に構わない。
【００１８】  本考案の型抜きの素材は、ステンレスや合成樹脂や適宜の良い素材で製品化にしたい。透けて見える素材も子供達にも向いていると考える。
【００１９】  型抜きは、上記したような栞や短冊やはがき等の素材に粘土の作品を貼る場合には、押し花を貼った後に貼る粘着力のある手芸用の物を上から貼ると作品が長く保存でき使える。栞から色紙や厚めの画用紙やコルク材等手芸素材椰子材手芸用にも作品を貼ることができる。型抜きで粘土を抜いて作った作品は、額の内部分に高さのある額を使うと作品が見栄えする。型抜きは小さいサイズ、少し大きめサイズ、ちょっと大きいサイズの型抜きが便利に使える。
【００２０】図面１の説明。図面１では、連華の大きい葉と小さい葉２枚と連華の花びらを大小３枚と連の実と持ち手を付けた。この数くらいで様々なオリジナル作品を作ることが可能。
【００２１】図面４の説明。図面４では、つくしの頭と茎と額と持ち手を付けた。つくしでは茎と額を沢山作ることで茎の長い背の高いつくしも作れる、又、頭を付けて茎を短くすると土の中から出たばかりの可愛いつくしも作ることも可能、この半立体型抜きを旨く使い分けることでつくしに限らず様々な半立体の型抜きを作ることが可能になる。
【００２２】図面７の説明。図面７では、図面１の型抜きと図面４の半立体型抜きを合併させて合作型抜きにした。厚い粘土と薄い粘土も抜くことができることと、半立体の型抜きは相反する２つであるが旨く組み合わせることで１個の型抜きとして立派に役目を果たす、このような型抜きからは高度な楽しい作品を作ることが可能である。
どの型抜きもここで記載した型抜きにこだわらず良いパーツを独立させて、組み合わせる型の数を押さえてもパーツの選択で手軽な良い型抜きを作れる。（図面１）と（図面４）と（図面７）
【産業上の利用可能性】
【００２３】  本考案の型抜きは、子供達も保育園児も幼稚園児も楽しく粘土知育できる。次に、大人の人は趣味に、生涯学習の教材に、通信教育の教材に初歩から上級迄儲け講師育成に使える。お年寄りの方々にはディサービスや老人ホームの作品作りの教材に簡単に使える。
又、産業界では型抜きの生産、様々な粘土、絵の具、粘土の加工道具、上記したように手芸用材料、文房具、接着剤等や様々な額等も需要が見込まれると考える。
【図面の簡単な説明】
【００２４】
【図１】    連華の型抜き斜視図
【図２】    連華の平面図
【図３】    連華の葉の型抜き断面図
【図４】    つくしの半立体型抜き斜視図
【図５】    つくしの半立体型抜き平面図
【図６】    つくしの半立体型抜き断面図
【図７】    苺の合作型抜き斜視図
【図８】    苺の合作型抜き断面図
【作品例】
【００２５】
【符号の説明】
【００２６】１、        連華の型抜き
２、３、    連華の葉
４、５、６  連華の花びら
７、        連華の実
８、１８、２８、連華の持ち手、つくしの半立体型抜き持ち手、苺の合作型抜き持ち手
９、        型抜き上
１０、２１、３１、連華の刃、つくしの刃、苺の刃、
１１、１２、連華の葉の上部分の加工（記載の図全ての型抜きの参考例）
１３、      つくしの半立体型抜き
１４、      つくしの頭の半立体
１５、      つくしの頭の内側の模様
１６、１７、茎と額
１９、２０、つくしの頭高さ、つくしの茎高さ
２２、      苺の合作型抜き
２３、２４、苺の葉
２５、２６、２７、苺の実、苺の額
２９、      苺の半立体の実
３０、      苺の内側の模様
３２、      苺の高さ
【手続補正２】
【補正対象書類名】図面
【補正対象項目名】図７
【補正方法】変更
【補正の内容】
【図７】
0003139995.tif 000011